(57)【特許請求の範囲】
【請求項１】
顧客が購入する商品を決済するための商品情報が登録される決済装置と、
前記顧客が投入した貨幣を処理する貨幣処理装置と、
前記決済装置に設けられ、前記貨幣を両替するために前記顧客に操作される第１の決定部と、
前記第１の決定部が設けられた決済装置に設けられ、両替するために前記貨幣処理装置に投入された貨幣が前記商品の決済に使用されるように、前記貨幣を両替するために前記顧客に操作された第１の決定部が設けられた決済装置を制御するために、前記顧客に操作される第２の決定部と、
前記決済装置及び前記貨幣処理装置を制御する制御装置と、
を備え、
前記第１の決定部は、前記第１の決定部が設けられた決済装置で前記商品情報が登録されている間に前記顧客が操作可能であり、
前記第１の決定部が設けられた決済装置で前記商品情報が登録されている間に前記顧客が前記第１の決定部を介して前記貨幣を両替するために操作した場合、前記制御装置は、前記貨幣を両替するために前記顧客に操作された第１の決定部が設けられた決済装置で前記商品情報が登録されている間に前記貨幣の両替を実行するように前記貨幣処理装置を制御する、決済システム。
【請求項２】
前記貨幣の両替は、前記貨幣の枚数を最小化する逆両替である、請求項１に記載の決済システム。
【請求項３】
前記貨幣の枚数を最小化する逆両替の誘因を前記顧客に与える誘因部を備える、請求項１又は２に記載の決済システム。
【請求項４】
前記誘因部は、前記決済装置で前記商品情報が登録されている間に前記誘因を前記顧客に与える、請求項３に記載の決済システム。
【請求項５】
顧客が購入する商品を決済するための商品情報を決済装置が登録する工程と、
前記決済装置に設けられた第１の決定部を介して、前記第１の決定部が設けられた決済装置で前記商品情報が登録されている間に前記顧客が貨幣の両替処理を指令した場合、制御装置が、前記貨幣の両替処理を指令するために前記顧客に操作された前記第１の決定部が設けられた決済装置で前記商品情報を登録している間に、前記顧客が投入した貨幣の両替を実行するように貨幣処理装置を制御する工程と、
前記貨幣の両替処理を指令するために前記顧客に操作された前記第１の決定部が設けられた決済装置に設けられた第２の決定部を介して、前記顧客が両替するために前記貨幣処理装置に投入された貨幣を用いた前記商品の決済処理を指令した場合、前記制御装置が、前記投入された貨幣を用いて前記商品の決済を実行するように前記貨幣の両替処理を指令するために前記顧客に操作された前記第１の決定部が設けられた決済装置を制御する工程と、
を備える、決済方法。
【請求項６】
顧客が購入する商品を決済するための商品情報を決済装置が登録する処理と、
前記決済装置に設けられた第１の決定部を介して、前記第１の決定部が設けられた決済装置で前記商品情報が登録されている間に前記顧客が貨幣の両替処理を指令した場合、前記貨幣の両替処理を指令するために前記顧客に操作された前記第１の決定部が設けられた決済装置で前記商品情報を登録している間に、前記顧客が投入した貨幣の両替を実行するように貨幣処理装置を制御する処理と、
前記貨幣の両替処理を指令するために前記顧客に操作された前記第１の決定部が設けられた決済装置に設けられた第２の決定部を介して、前記顧客が両替するために前記貨幣処理装置に投入された貨幣を用いた前記商品の決済処理を指令した場合、前記投入された貨幣を用いて前記商品の決済を実行するように前記貨幣の両替処理を指令するために前記顧客に操作された前記第１の決定部が設けられた決済装置を制御する処理と、
をコンピュータに実行させる、決済プログラム。
【発明の詳細な説明】
【技術分野】
【０００１】
本開示は、決済システム、決済方法及び決済プログラムに関する。
【背景技術】
【０００２】
近年、特許文献１及び２に開示されているような、顧客が購入した商品を決済するための決済処理と、投入された貨幣を両替する両替処理と、を実行可能な決済システムが実用化されている。このような決済システムは、両替モードや単体動作指令への切り替え指令に基づいて、両替処理が実行される構成とされている。
【先行技術文献】
【特許文献】
【０００３】
【特許文献１】特開２００５−４３４６号公報
【特許文献２】特開２０１０−３９５８４号公報
【発明の概要】
【発明が解決しようとする課題】
【０００４】
特許文献１及び２の決済システムは、決済処理又は両替処理の何れか一方の処理のみを実行する構成とされており、決済処理と両替処理とを同時に実行することができない課題を有する。
【０００５】
本明細書に開示される実施の形態が達成しようとする目的の１つは、当該課題の解決に寄与する決済システム、決済方法及び決済プログラムを提供することである。なお、この目的は、本明細書に開示される複数の実施の形態が達成しようとする複数の目的の１つに過ぎないことに留意されるべきである。その他の目的又は課題と新規な特徴は、本明細書の記述又は添付図面から明らかにされる。
【課題を解決するための手段】
【０００６】
第１の態様の決済システムは、
顧客が購入する商品を決済するための商品情報が登録される決済装置と、
前記顧客が投入した貨幣を処理する貨幣処理装置と、
前記決済装置及び前記貨幣処理装置を制御する制御装置と、
を備え、
前記制御装置は、前記決済装置で前記商品情報が登録されている間に前記貨幣の両替を実行するように前記貨幣処理装置を制御する。
【０００７】
第２の態様の決済方法は、
顧客が購入する商品を決済するための商品情報を登録する工程と、
前記商品情報を登録している間に、前記顧客が投入した貨幣の両替を実行する工程と、
を備える。
【０００８】
第３の態様の決済プログラムは、
顧客が購入する商品を決済するための商品情報を登録する処理と、
前記商品情報を登録している間に、前記顧客が投入した貨幣の両替を実行する処理と、
をコンピュータに実行させる。
【発明の効果】
【０００９】
上述の態様によれば、決済処理と両替処理とを同時に実行することができる決済システム、決済方法及び決済プログラムを実現可能である。
【図面の簡単な説明】
【００１０】
【図１】実施の形態１の決済システムの構成を示すブロック図である。
【図２】実施の形態２の決済システムの構成を示すブロック図である。
【図３】実施の形態２の決済システムの決済装置の外観を示す斜視図である。
【図４】実施の形態２の決済システムにおける第３の入力部の構成を示すブロック図である。
【図５】実施の形態２の決済システムの貨幣処理装置の外観を示す斜視図である。
【図６】実施の形態２の決済方法の流れを示すフローチャート図である。
【図７】実施の形態２の決済方法の流れを示すフローチャート図である。
【図８】実施の形態２の決済方法の流れを示すフローチャート図である。
【図９】貨幣の逆両替処理の誘因を顧客に与える誘因画像の表示例を示す図である。
【図１０】貨幣の種別及び枚数を示す画像、第１の決定部及び第２の決定部の表示例を示す図である。
【図１１】投入金額が商品の購入総額に対して不足している旨の画像の表示例を示す図である。
【図１２】決済システムに含まれるハードウェア構成の一例を示す図である。
【発明を実施するための形態】
【００１１】
以下、本開示を実施するための最良の形態について、添付図面を参照しながら説明する。但し、本開示が以下の実施の形態に限定される訳ではない。また、説明を明確にするため、以下の記載及び図面は、適宜、簡略化されている。
【００１２】
＜実施の形態１＞
本実施の形態の決済システム及び決済方法を説明する。図１は、本実施の形態の決済システムの構成を示すブロック図である。決済システム１は、図１に示すように、決済装置２、貨幣処理装置３及び制御装置４を備えている。
【００１３】
決済装置２には、顧客が購入する商品を決済するための商品情報が登録される。貨幣処理装置３は、顧客が投入した貨幣を処理する。制御装置４は、決済装置２及び貨幣処理装置３を制御する。このとき、制御装置４は、決済装置２で商品情報が登録されている間に貨幣の両替を実行するように貨幣処理装置３を制御可能である。
【００１４】
このように本実施の形態の決済システム１及び決済方法は、商品情報が登録されている間に顧客が投入した貨幣の両替処理が可能である。つまり、決済処理と両替処理とを同時に実行することができる。
【００１５】
＜実施の形態２＞
好ましい実施の形態の決済システム及び決済方法を説明する。先ず、本実施の形態の決済システムの構成を説明する。図２は、本実施の形態の決済システムの構成を示すブロック図である。図３は、本実施の形態の決済システムの決済装置の外観を示す斜視図である。図４は、本実施の形態の決済システムにおける第３の入力部の構成を示すブロック図である。図５は、本実施の形態の決済システムの貨幣処理装置の外観を示す斜視図である。
【００１６】
本実施の形態の決済システム１１は、図２に示すように、決済装置２１、貨幣処理装置３１及び制御装置４１を備えている。決済装置２１は、例えば、第１の入力部２２、第２の入力部２３、第１の表示部２４、第３の入力部２５、第２の表示部２６、スピーカー２７及びレシートプリンタ２８を備えている。
【００１７】
詳細には、決済装置２１は、例えば、図３に示すような対面式セルフ決済が可能なＰＯＳ（Point Of Sale）端末であり、キーボードとして第１の入力部２２を備え、店舗従業員用ディスプレイ兼操作パネルとして第２の入力部２３及び第１の表示部２４を備え、顧客用ディスプレイ兼操作パネルとして第３の入力部２５及び第２の表示部２６を備えている。
【００１８】
そして、第３の入力部２５は、図４に示すように、両替処理を実行するために顧客に操作される第１の決定部２５ａ、及び決済処理を実行するために顧客に操作される第２の決定部２５ｂを備えている。
【００１９】
このような決済装置２１は、詳細は後述するが、店舗従業員が第１の入力部２２や第２の入力部２３を介して顧客が購入する商品情報（即ち、商品の価格、商品コード、数量、値引きなど）を登録すると共に、顧客が第２の決定部２５ｂを介して決済処理を指示（即ち、決定）することで、商品の決済処理を実行する構成とされている。
【００２０】
なお、決済装置２１の処理は、一般的な決済装置の処理を採用することができるため、詳細な説明は省略する。但し、商品コードなどは、バーコード読み取り機やセルフオーダー端末、ハンディー端末などを介して登録されてもよい。
【００２１】
貨幣処理装置３１は、図２及び図５に示すように、硬貨投入部３２、硬貨排出部３３、紙幣投入・排出部３４及び貨幣識別センサ３５を備えている。このような貨幣処理装置３１は、詳細は後述するが、硬貨投入部３２や紙幣投入・排出部３４から入金（即ち、投入）された貨幣が貨幣搬送路を通過する際に貨幣識別センサ３５が当該貨幣の種別及び枚数を検出し、入金された貨幣に対して順両替処理又は逆両替処理を実行したり、商品を決済処理する際に釣銭を出金（即ち、排出）したり、する。
【００２２】
なお、貨幣処理装置３１の機構は、一般的な貨幣処理装置３１の機構を採用することができるため、詳細な説明は省略する。ここで、順両替処理では、高額金種から低額金種への等価払い出し処理を実行し、逆両替処理では、低額金種から高額金種への等価払い出し処理を実行する。
【００２３】
制御装置４１は、詳細は後述するが、決済装置２１の第１の入力部２２、第２の入力部２３又は第３の入力部２５の操作に基づいて、顧客が購入した商品の決済処理を決済装置２１に実行させたり、貨幣処理装置３１の硬貨投入部３２や紙幣投入・排出部３４から入金された貨幣の両替処理を当該貨幣処理装置３１に実行させたり、するために、決済装置２１及び貨幣処理装置３１を制御する。
【００２４】
次に、本実施の形態の決済方法の流れを説明する。ここで、以下の説明では、両替として逆両替処理の誘因を顧客に与えるものとする。但し、順両替処理の誘因を顧客に与える場合も、以下の流れと略同様に実施することができる。
【００２５】
図６乃至図８は、本実施の形態の決済方法の流れを示すフローチャート図である。先ず、決済システム１１は、貨幣処理装置３１の硬貨投入部３２や紙幣投入・排出部３４から貨幣が入金可能な待機状態となる（Ｓ１）。
【００２６】
次に、制御装置４１は、貨幣の逆両替処理の誘因を顧客に与える誘因画像を決済装置２１の第２の表示部２６が表示するように、決済装置２１を制御する（Ｓ２）。ここで、図９は、貨幣の逆両替処理の誘因を顧客に与える誘因画像の表示例を示す図である。
【００２７】
第２の表示部２６には、例えば、図９の右側に示すように、貨幣の逆両替処理の誘因を顧客に与える「お持ちの硬貨紙幣を最小枚数に両替します。貨幣処理装置に硬貨紙幣を投入してください。」との誘因画像が表示される。つまり、第２の表示部２６は、貨幣の逆両替処理の誘因を顧客に与える誘因部として機能する。但し、スピーカー２７から音声によって貨幣の逆両替処理の誘因を顧客に与えてもよい。
【００２８】
次に、制御装置４１は、顧客が貨幣処理装置３１の硬貨投入部３２や紙幣投入・排出部３４から貨幣を入金したか否かを判定する（Ｓ３）。貨幣処理装置３１の貨幣識別センサ３５が硬貨投入部３２や紙幣投入・排出部３４から入金された貨幣の種別を判別し、判別結果を示す情報を制御装置４１に出力した場合、制御装置４１は、貨幣が貨幣処理装置３１に入金された入金イベントを認識すると共に（Ｓ３のＹＥＳ）、貨幣の種別毎の枚数を積算する（Ｓ４）。
【００２９】
次に、制御装置４１は、決済装置２１の第１の入力部２２や第２の入力部２３から商品情報が登録されたか否かを判定する（Ｓ５）。店舗従業員が第１の入力部２２や第２の入力部２３を介して商品情報を登録し、第１の入力部２２や第２の入力部２３が商品情報を制御装置４１に出力した場合（Ｓ５のＹＥＳ）、制御装置４１は、商品の購入イベントを認識する。
【００３０】
次に、制御装置４１は、商品情報の登録が終了したか否か判定する（Ｓ６）。制御装置４１は、例えば、決済装置２１の第１の入力部２２や第２の入力部２３を介して商品登録の終了情報が入力された場合、商品情報の登録が終了したと判定し（Ｓ６のＹＥＳ）、入金された貨幣の総額が商品の購入総額以上か否かを判定する（Ｓ７）。一方、制御装置４１は、商品情報の登録が終了していないと判定した場合（Ｓ６のＮＯ）、Ｓ６の工程に戻る。
【００３１】
次に、制御装置４１は、入金された貨幣の総額が商品の購入総額以上の場合（Ｓ７のＹＥＳ）、決済装置２１の第２の表示部２６が入金された貨幣の種別及び枚数を示す画像を表示すると共に、第１の決定部２５ａ及び第２の決定部２５ｂを表示するように、決済装置２１を制御する（Ｓ８）。ここで、図１０は、貨幣の種別及び枚数を示す画像、第１の決定部及び第２の決定部の表示例を示す図である。
【００３２】
第２の表示部２６には、例えば、図１０に示すように、入金された貨幣の種別と枚数（数量）との関係を示す画像、第１の決定部２５ａ及び第２の決定部２５ｂが表示される。このとき、第２の表示部２６には、商品情報に基づいて、購入する品名、数量、商品毎の合計金額、小計、全ての商品の数量、購入総額などが表示されると共に、「投入していただいた現金で支払いされますか？」との問い合わせ画像が表示されるとよい。
【００３３】
顧客が第１の決定部２５ａを介して貨幣の両替処理を指令した場合、制御装置４１は、入金された貨幣の逆両替処理を実行し、逆両替した硬貨を硬貨排出部３３から出金すると共に、紙幣を紙幣投入・排出部３４から出金するように、貨幣処理装置３１を制御し、Ｓ１の工程に戻る（Ｓ９）。このとき、商品の決済処理は、再度、貨幣処理装置３１の硬貨投入部３２や紙幣投入・排出部３４から両替後の貨幣を入金したり、決済装置２１の第２の入力部２３などを介してクレジットカードなどの顧客情報を登録したり、することで決済処理を実行するとよい。
【００３４】
一方、顧客が第２の決定部２５ｂを介して商品の決済処理を指令した場合、制御装置４１は、入金された貨幣を用いて商品の決済処理を実行して、レシートプリンタ２８からレシートが発行されるように、決済装置２１を制御し、Ｓ１の工程に戻る（Ｓ９）。このとき、制御装置４１は、入金された貨幣の総額が商品の購入総額より多い場合、釣銭が硬貨排出部３３又は紙幣投入・排出部３４から出金されるように、貨幣処理装置３１を制御する。
【００３５】
制御装置４１は、入金された貨幣の総額が商品の購入総額未満の場合（Ｓ７のＮＯ）、投入金額が商品の購入総額に対して不足している旨の画像を決済装置２１の第２の表示部２６が表示するように、決済装置２１を制御する（Ｓ１０）。ここで、図１１は、投入金額が商品の購入総額に対して不足している旨の画像の表示例を示す図である。
【００３６】
第２の表示部２６には、例えば、図１１に示すように、投入金額が商品の購入総額に対して不足している旨の「現金が足りません。貨幣処理装置に投入してください。」との画像が表示される。このときも、第２の表示部２６には、商品情報に基づいて、購入する品名、数量、商品毎の合計金額、小計、全ての商品の数量、購入総額などが表示されるとよい。
【００３７】
制御装置４１は、第２の表示部２６に投入金額が足りない旨の画像が表示されてから所定の期間が経過するまでの間に、顧客が貨幣処理装置３１の硬貨投入部３２や紙幣投入・排出部３４から貨幣を入金したか否かを判定する（Ｓ１１）。
【００３８】
顧客が貨幣処理装置３１の硬貨投入部３２や紙幣投入・排出部３４から貨幣を入金した場合（Ｓ１１のＹＥＳ）、Ｓ７の工程に戻る。一方、顧客が貨幣処理装置３１の硬貨投入部３２や紙幣投入・排出部３４から貨幣を入金しなかった場合（Ｓ１１のＮＯ）、制御装置４１は、決算処理を無効とし、入金された貨幣を硬貨排出部３３や紙幣投入・排出部３４から出金するように、決済装置２１及び貨幣処理装置３１を制御し、Ｓ１の工程に戻る。
【００３９】
制御装置４１は、貨幣処理装置３１の貨幣識別センサ３５から判別結果を示す情報が入力されない場合（Ｓ３のＮＯ）、つまり、入金イベントを認識しない場合、図７に示すように、決済装置２１の第１の入力部２２や第２の入力部２３から商品情報が登録されたか否かを判定する（Ｓ１２）。
【００４０】
店舗従業員が第１の入力部２２や第２の入力部２３を介して商品情報を登録し、第１の入力部２２や第２の入力部２３が商品情報を制御装置４１に出力した場合、制御装置４１は、商品の購入イベントを認識する（Ｓ１２のＹＥＳ）。
【００４１】
次に、制御装置４１は、商品情報の登録が終了するまでの間に顧客が貨幣処理装置３１の硬貨投入部３２や紙幣投入・排出部３４から貨幣を入金したか否かを判定する（Ｓ１３）。顧客が貨幣処理装置３１の硬貨投入部３２や紙幣投入・排出部３４から貨幣を入金していないと判定した場合（Ｓ１３のＮＯ）、制御装置４１は、購入する品名、数量、商品毎の合計金額、小計、全ての商品の数量、購入総額、購入総額の入金の誘因を顧客に与える誘因画像を第２の表示部２６が表示するように、決済装置２１を制御する（Ｓ１４）。
【００４２】
次に、第２の決定部２５ｂなどが第２の表示部２６に表示されてから所定の期間が経過するまでの間に、顧客が貨幣処理装置３１の硬貨投入部３２や紙幣投入・排出部３４から購入総額の貨幣を入金したか否かを判定する（Ｓ１５）。
【００４３】
顧客が貨幣処理装置３１の硬貨投入部３２や紙幣投入・排出部３４から購入総額の貨幣を入金した場合（Ｓ１５のＹＥＳ）、制御装置４１は、入金された貨幣を用いて商品の決済処理を実行して、レシートプリンタ２８からレシートが発行されるように、決済装置２１を制御し、Ｓ１の工程に戻る（Ｓ１６）。
【００４４】
一方、商品の購入イベントを認識しなかった場合（Ｓ１２のＮＯ）、Ｓ１の工程に戻る。また、商品情報の登録が終了するまでの間に顧客が貨幣処理装置３１の硬貨投入部３２や紙幣投入・排出部３４から貨幣を入金した場合（Ｓ１３のＹＥＳ）、Ｓ４の工程に移行する。また、顧客が貨幣処理装置３１の硬貨投入部３２や紙幣投入・排出部３４から購入総額の貨幣を入金しなかった場合（Ｓ１５のＮＯ）、決済処理を無効にし、Ｓ１の工程に戻る。
【００４５】
商品の購入イベントを認識しなかった場合（Ｓ５のＮＯ）、制御装置４１は、図８に示すように、入金された貨幣の種別、枚数を示す画像及び第１の決定部２５ａを第２の表示部２６が表示するように、決済装置２１を制御する（Ｓ１７）。
【００４６】
そして、制御装置４１は、第２の表示部２６に入金された貨幣の種別、枚数を示す画像及び第１の決定部２５ａが表示されてから所定の期間が経過するまでの間に、顧客が第１の決定部２５ａを介して貨幣の両替処理を指令したか否かを判定する（Ｓ１８）。
【００４７】
顧客が第１の決定部２５ａを介して貨幣の両替処理を指令した場合（Ｓ１８のＹＥＳ）、制御装置４１は、入金された貨幣の逆両替処理を実行し、逆両替した硬貨を硬貨排出部３３から出金すると共に、紙幣を紙幣投入・排出部３４から出金するように、貨幣処理装置３１を制御し、Ｓ１の工程に戻る（Ｓ１９）。
【００４８】
一方、顧客が第１の決定部２５ａを介して貨幣の両替処理を指令しなかった場合（Ｓ１８のＮＯ）、制御装置４１は、入金された貨幣を硬貨排出部３３や紙幣投入・排出部３４から出金するように、貨幣処理装置３１を制御し、Ｓ１の工程に戻る。
【００４９】
このように本実施の形態の決済システム１１及び決済方法は、商品情報が登録されている間に顧客が投入した貨幣の両替処理が可能である。つまり、決済処理と両替処理とを同時に実行することができる。
【００５０】
しかも、本実施の形態の決済システム１１及び決済方法は、商品の決済処理中に貨幣処理装置３１の硬貨投入部３２や紙幣投入・排出部３４に入金した貨幣を、商品の決済処理のために用いることができるので、商品の決済時間の短縮に寄与できる。
【００５１】
また、顧客は、購入する商品の商品情報の登録の間に貨幣の両替を行うことができる。そのため、顧客が順両替した場合、商品の決済時に釣銭がないように決済することができ、顧客が逆両替した場合、所有する貨幣の種別や枚数を理解し易くなり、商品の決済を容易に行うことができる。
【００５２】
＜他の実施の形態＞
上述した実施の形態１及び２では、本開示をハードウェアの構成として説明したが、本開示はこれに限定されるものではない。本開示は、各構成要素の処理を、ＣＰＵ（Central Processing Unit）にコンピュータプログラムを実行させることにより実現することも可能である。
【００５３】
例えば、上記実施の形態の決済システムは、次のようなハードウェア構成を備えることができる。図１２は、決済システムに含まれるハードウェア構成の一例を示す図である。
【００５４】
図１２に示す装置５１は、インターフェイス５２と共に、プロセッサ５３及びメモリ５４を備える。上記実施の形態で説明した決済システムは、プロセッサ５３がメモリ５４に記憶されたプログラムを読み込んで実行することにより実現される。つまり、このプログラムは、プロセッサ５３を上記実施の形態の決済システムとして機能させるためのプログラムである。
【００５５】
上述したプログラムは、様々なタイプの非一時的なコンピュータ可読媒体（non-transitory computer readable medium）を用いて格納され、コンピュータ（情報通知装置を含むコンピュータ）に供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）を含む。さらに、この例は、ＣＤ−ＲＯＭ（Read Only Memory）、ＣＤ−Ｒ、ＣＤ−Ｒ／Ｗを含む。さらに、この例は、半導体メモリ（例えば、マスクＲＯＭ、ＰＲＯＭ、ＥＰＲＯＭ、フラッシュＲＯＭ、ＲＡＭ）を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５６】
上記実施の形態は本件発明者により得られた技術思想の適用に関する例に過ぎない。すなわち、当該技術思想は、上述した実施の形態のみに限定されるものではなく、種々の変更が可能であることは勿論である。
【符号の説明】
【００５７】
１  決済システム
３  貨幣処理装置
４  制御装置
１１  決済システム
２１  決済装置、２２  第１の入力部、２３  第２の入力部、２４  第１の表示部、２５  第３の入力部、２５ａ  第１の決定部、２５ｂ  第２の決定部、２６  第２の表示部、２７  スピーカー、２８  レシートプリンタ
３１  貨幣処理装置、３２  硬貨投入部、３３  硬貨排出部、３４  紙幣投入・排出部、３５  貨幣識別センサ
４１  制御装置
５１  装置、５２  インターフェイス、５３  プロセッサ、５４  メモリ
【要約】
【課題】決済処理と両替処理とを同時に実行することができる決済システムを実現する。
【解決手段】本開示の一形態に係る決済システム１は、顧客が購入する商品を決済するための商品情報が登録される決済装置２と、顧客が投入した貨幣を処理する貨幣処理装置３と、決済装置２及び貨幣処理装置３を制御する制御装置４と、を備える。制御装置４は、決済装置２で商品情報が登録されている間に貨幣の両替を実行するように貨幣処理装置３を制御する。
【選択図】図１【図１】
0006940193.tif 000002
【図２】
0006940193.tif 000003
【図３】
0006940193.tif 000004
【図４】
0006940193.tif 000005
【図５】
0006940193.tif 000006
【図６】
0006940193.tif 000007
【図７】
0006940193.tif 000008
【図８】
0006940193.tif 000009
【図９】
0006940193.tif 000010
【図１０】
0006940193.tif 000011
【図１１】
0006940193.tif 000012
【図１２】
0006940193.tif 000013